(57)【要約】      （修正有）【課題】  収納性に優れて容易に組み立てることができ、組み立てのために重ね合わせる左右端辺部分に段差が生じず、重ね合わせた部分の断熱性も確保できるプラスチック製の断熱ホルダーを提供する。【解決手段】  円錐台形容器の外周壁に捲回するための帯状で円弧形状の断熱ホルダー１であって、熱可塑性樹脂からなり、円弧形状の両端に位置し互いに接続可能な２つの接続部２０、３０と、接続部２０、３０に挟まれた本体部１０とを有し、本体部１０の全面には多数の断熱用凸部１１が設けられており、接続部２０、３０の一方には接続用凸部３１が、他方には接続用凸部３１に嵌め合う孔２１が設けられており、接続用凸部３１の先端部に係止用凸部３２が設けられている。【選択図】  図１
2007145342.tif 000002
【特許請求の範囲】
【請求項１】
円錐台形容器の外周壁に捲回するための帯状で円弧形状の断熱ホルダーであって、熱可塑性樹脂からなり、前記円弧形状の両端に位置し互いに接続可能な２つの接続部と、前記接続部に挟まれた本体部とを有し、前記本体部の全面には多数の断熱用凸部が設けられており、前記接続部の一方には１または２以上の接続用凸部が、他方には前記接続用凸部に嵌め合う１または２以上の孔が設けられており、さらに前記接続用凸部の先端部には係止用凸部が設けられていることを特徴とする断熱ホルダー。
【請求項２】
熱可塑性樹脂シートの熱成型により得られたことを特徴とする請求項１に記載の断熱ホルダー。
【請求項３】
Ｈａｚｅが１０％以下であることを特徴とする請求項１または２に記載の断熱ホルダー。
【発明の詳細な説明】
【技術分野】
【０００１】
本発明は、店頭売りのコーヒー等を入れる円錐台形形状の容器の外周壁に取り付けるための断熱ホルダーに関し、さらに詳細には、熱可塑性樹脂からなるにも係わらず、簡便かつ容器に取り付けができる断熱ホルダーに関する。
【背景技術】
【０００２】
店頭売りで多く提供されるホットコーヒやスープなどの熱い液体の入った紙コップ等の、断熱処理を施していない容器の外周壁は、飲食に適した温度では手指には熱くなりすぎる場合があり、飲食の間、持ち続けるのは困難である。そのため、容器の外周壁に、段ボール製やプラスチック製の断熱シートをあらかじめ固着させた断熱シート装着容器が提案されてきた（例えば、特許文献１〜４参照）。しかし、このような容器では、運搬する際や使用前において、積み重ねられた容器が嵩張って積重ね高さが高くなるため、収納性が悪くて取り扱いにくい欠点がある。
【０００３】
そこで、容器とは別に、脱着可能な主に段ボール製の断熱ホルダーを用意し、容器は容器、断熱ホルダーは断熱ホルダーとして積み重ね、容器使用前に断熱ホルダーを立体に組み立てて容器に嵌め込むことで、上記の欠点を解消する発明も開示されている（例えば、特許文献５〜８参照）。しかし、段ボールを用いているため、円筒状に組み立てる際に重ね合わせた部位に段差ができてしまい、取り扱い時にひっかかりが生じたり、持ちにくくなったりする問題点が指摘されていた。
【特許文献１】実開平６−１２７４号公報
【特許文献２】実開平６−２２２１２号公報
【特許文献３】実開平４−４５２１５号公報
【特許文献４】特開２００１−８０６２５号公報
【特許文献５】特開２００４−１６８３４５号公報
【特許文献６】特開２００２−６８３２８号公報
【特許文献７】特開平１１−１７１２６３号公報
【特許文献８】特開平９−１５４６９７号公報
【発明の開示】
【発明が解決しようとする課題】
【０００４】
本発明は、収納性に優れて容易に組み立てることができ、組み立てのために重ね合わせる左右端辺部分に段差が生じず、好ましくは重ね合わせた部分の断熱性も確保できるプラスチック製の断熱ホルダーを提供することを目的とする。
【課題を解決するための手段】
【０００５】
本発明は、円錐台形容器の外周壁に捲回するための帯状で円弧形状の断熱ホルダーであって、熱可塑性樹脂からなり、前記円弧形状の両端に位置し互いに接続可能な２つの接続部と、前記接続部に挟まれた本体部とを有し、前記本体部の全面には多数の断熱用凸部が設けられており、前記接続部の一方には１または２以上の接続用凸部が、他方には前記接続用凸部に嵌め合う１または２以上の孔が設けられており、さらに前記接続用凸部の先端部には係止用凸部が設けられていることを特徴とする断熱ホルダーである。ここで、熱可塑性樹脂シートの熱成型により得られたことは好ましい。また、Ｈａｚｅが１０％以下であることは好ましい。
【発明の効果】
【０００６】
運搬時等には積み重ねておくことができる優れた収納性を有し、使用時の組み立てが容易で外れにくく、しかも組み立てる際に重ね合わせる左右端辺部分に段差が生じず、引っかかりなどのトラブルも生じない。また、重ね合わされた部分の断熱性が確保されるから、温度の高い面が手指に触れることもなく、収納性、取り扱い性、均一断熱性のいずれにも優れる。さらに、製造も容易である。
【発明を実施するための最良の形態】
【０００７】
本発明の実施の形態例について、以下、図面も参照して具体的に説明する。まず、断熱ホルダーは、熱可塑性樹脂からなる。熱可塑性樹脂を用いることで、断熱や接続に必要な形状に容易に成型することが可能となるし、必要により断熱ホルダーを透明としたり、遮光性を持たせたり、着色したりすることも可能となる。用いうる熱可塑性樹脂としては、ポリオレフィン系樹脂、ポリエステル系樹脂、ポリスチレン系樹脂、ポリ乳酸樹脂、ポリアミド樹脂など熱成型可能な樹脂を挙げることができ、中でも、耐熱性の点からはポリオレフィン系樹脂のポリプロピレンが、透明性の点からはポリエステル系樹脂のポリエチレンテレフタレートが、環境の観点からポリ乳酸樹脂を用いるのが好ましい。
【０００８】
熱可塑性樹脂としてポリプロピレンを用いる場合には、ホモポリマー、コポリマーのいずれでもよいが、安価で耐熱性の高いホモポリマーを用いるのが好ましい。透明性が求められる場合には、ランダムポリマーの使用も可能である。また、ポリエチレンテレフタレートを用いる場合は、高透明性の点からＡ−ＰＥＴ用の樹脂が好ましい。ここで、Ａ−ＰＥＴ用の樹脂とは、ＰＥＴ樹脂の中でも分子量が大きくて、ＪＩＳ  Ｋ７３９０により測定したＩＶ値（Intrinsic Viscosty、固有粘度）も４．０〜１７．０ｃｍ3／ｇと大きく、結晶化速度が遅いＰＥＴ樹脂を言う。また、ポリ乳酸樹脂を用いる場合は、成形性・剛性の観点から、Ｄ体が１０％以下で結晶性を有するポリ乳酸樹脂を用いるのが好ましい。
【０００９】
図１は、本発明の断熱ホルダーの一例の（１）正面図と（２）斜視図である。断熱ホルダー１の全体は、円錐台形状をした容器の外周壁に巻き付けて使用できるようにするために、帯状で円弧形状、つまり、円錐台形の側面を展開した形状または横長の長方形を円弧状に歪めた形状となっている。断熱ホルダー１の円弧状の両端部分には、容器に巻き付ける際に丸めて立体形状を作るための接続部２０、３０が設けられており、その間には本体部１０が設けられている。断熱ホルダー１を丸めて、接続部２０と３０とが重ね合わされて接続されることで、断熱ホルダー１は容器の外周壁にぴったり嵌る形状となる。
【００１０】
断熱ホルダー１の横幅は、容器の大きさに合わせて適宜定めればよい。また、断熱ホルダーの高さは、手指を容器の外周壁に触れさせないようにするために２０ｍｍ以上とするのが好ましく、断熱ホルダー１を取り付けた状態で容器をテーブル等に置いた場合に不安定とならないようにするためには、容器の高さ以下とするのがよい。断熱ホルダーの全体形状は、これらの条件を満たすように、幅、高さ、テーパー等を適宜定めればよい。
【００１１】
断熱ホルダー１の本体部１０の全面には、多数の断熱用凸部１１が設けられている。これらの凸部１１は、容器を手指で持つ際に、容器の外周壁に手指が触れないように、容器と手指の間に一定の空間を確保するために設ける。これにより、手指に熱が伝わりにくくする。従って、凸部１１の形状、高さ、幅、位置、数、間隔等は、そのような機能を発揮しうるように適宜定めればよい。凸部の高さは断熱性能の点から１ｍｍ以上とするのが好ましく、より好ましくは２ｍｍ以上である。上限の凸部高さに制限はないが、断熱ホルダーとして容器に係止した時に手で持ちやすい高さまでは許容できる。ところで、断熱ホルダー１の例では、各凸部の形が、長方形の短辺が円弧になっているものを示しているが、これに限る必要はなく、長方形、円形、楕円形、三角形等の任意の形状とすることができる。
【００１２】
断熱ホルダー１の接続部３０には、接続用凸部３１が設けられている。また、反対側の接続部４０には、断熱ホルダー１を丸めて接続部２０と３０とを重ね合わせた場合に、接続用凸部３１に嵌め合う孔２１が設けられている。接続用凸部３１を孔２１に嵌め込むことにより、断熱ホルダー１が、容器の外周壁に合う立体形状となる。また、接続用凸部３２は、このような接続状態を作るためのみならず、接続後の接続部２０及び３０において、容器を手指で持つ際に、手指と容器の外周壁との間に空間が無くなり、熱が伝わり易い状態となるのを防止する機能も有する。従って、接続用凸部３２の形状、位置、高さ、数は、このような機能を果たせるように適宜定めればよい。
【００１３】
また、接続用凸部３２の先端部には、孔２１が引っかかって、接続部どうしの嵌め合い構造が外れにくくするための係止用凸部３２が設けられている。接続部３０を横断する破線３３の断面を、矢印Ａ方向に見た断面図を図２（１）に示す。接続部３０の接続用凸部３１の上部の左右に、係止用凸部３２が設けられていることがわかる。また、断熱ホルダー１の他の接続部２０を横断する破線２２の断面を矢印Ｂ方向に見た断面図を、図２（２）に示す。そして、断熱ホルダー１を丸めて両方の接続部を重ね、接続用凸部３１を孔２１に嵌め込んだ状態の接続部の断面図を、図２（３）に示す。
【００１４】
係止用凸部３２は、孔２１に接続用凸部３１が嵌め込まれた状態で、孔２１から接続用凸部３１が外れにくくするための抵抗として機能する。そのため、いったん接続状態を作ると、その接続状態が外れにくくなる。このような係止用凸部３２を設けることで、段ボールに比較して強度が低い熱可塑性樹脂のシート状物を用いる場合であっても、意外にも安定して接続状態を維持でき、断熱ホルダーが外れるトラブルが生じにくくなる。係止用凸部の形状、位置、高さ、数は、この機能を果たせるように適宜定めればよい。
【００１５】
なお、図２の各図では、容器の外周壁は、図面に向かって断熱ホルダー１の下側に位置しても良いし、上側に位置しても良いが、容器への使用時に、接続部の端部の引っかかりが生じ難いようにするには、容器の外周壁が各図の下側に位置するのが好ましい。これにより、接続部２０の端部３３が、断熱用凸部１１と接続用凸部３１とにより形成される空間内に埋没し、無用の引っかかりが生じにくくなる。
【００１６】
次に、断熱ホルダーの他の例を図３に示す。図３（１）は、接続部６０における接続用凸部が３つある断熱ホルダー２の例である。３つの接続用凸部６１〜６３の各々には、係止用凸部６５〜６７が設けられている。また、接続用凸部に対応して、接続部５０には、３つの孔５１〜５３が設けられている。図４は、さらに他の断熱ホルダーの例を示した図である。図４（１）には、２つの接続用凸部を有する断熱ホルダー３の例を、図４（２）には、２つの接続用凸部９０、９１が設けられているが、互いに角度を有するように傾けて配置されている断熱ホルダー４の例を示した。このように角度を設けることにより、接続状態を外す力に対してより強くなり、さらに外れにくくなる。
【００１７】
断熱ホルダーは、Ｈａｚｅが１０％以下とするのが好ましい。これにより、断熱ホルダーを装着した状態でも、容器の模様が外部から視認できて清潔感が得られる。断熱ホルダーのＨａｚｅを１０％以下とするには、熱可塑性樹脂や熱成形方法を公知の手段により組み合わせて適宜条件を選定すればよい。例えば、熱可塑性樹脂としてＡ−ＰＥＴポリエチレンテレフタレートを用いるなどすればよい。
【００１８】
次に、このような断熱ホルダーの製造方法について説明する。まず、すでに上記した熱可塑性樹脂から用いる樹脂を選択し、これを公知の熱成形方法、例えば、Ｔダイによる押し出し成形やプレス成形によってシート状に成形する。この時、遮光剤、着色剤、紫外線吸収剤などを、熱可塑性樹脂に添加しても差し支えない。成型された樹脂シートの厚さは、熱可塑性樹脂によって適する厚みが異なるが、凸部形成の成形性の点から０．０５ｍｍから３．００ｍｍとするのが好ましく、より好ましくは０．１０ｍｍから２．００ｍｍである。続いて、この樹脂シートを用いて、公知の熱成形方法、例えば、真空成形、圧空成形、真空圧空成形、射出成形等によって凸部を形成し、続いてシートから切断することで、目的の断熱ホルダーが得られる。
【００１９】
以下、実施例により本発明をより具体的に説明するが、本発明は実施例の具体的態様に限定されるものではない。なお、Ｈａｚｅは、成型前のシートを用いて、ＪＩＳ  Ｋ７１３６に準拠して測定した。
【実施例１】
【００２０】
熱可塑性樹脂シートとして、厚さ０．２０ｍｍのポリプロピレンシート（シーダム株式会社製、６Ｔ（Ｎ））を用い、単発の圧空成形機で断熱用凸部、接続用凸部、係止用凸部を形成したのち、トムソン刃の抜き刃で孔を形成すると共に、帯状で円弧状の形状に切り抜いて、図１に記載の断熱ホルダー１と同様な断熱ホルダーを得た。この断熱ホルダーは、口径が約７８ｍｍ、底径が約５１ｍｍ、高さが約１１０ｍｍの円錐台形容器にセットできるように、最大横幅を２３．５ｃｍ、容器高さ方向の長さを８．５ｃｍとし、テーパーは容器に合わせて設定した。また、断熱用凸部の容器外周面からの高さは３ｍｍ、幅は５ｍｍ、凸部と凸部との間の幅は３ｍｍとし、手指が容器の外周壁の面に触れないように設計した。
【００２１】
また、接続部の接続用凸部の形状は、図１及び図２に記載のごとき形状とし、容器外周面からの高さを３ｍｍ、幅１０ｍｍ、断熱ホルダーの端辺（図２（１）の３３）から接続用凸部までの間隔は４ｍｍとした。接続用凸部の上部外周面に２（１）に記載のごとき係止用凸部を設けた。係止用凸部の、上部外周面からの突出高さは、０．８ｍｍとした。この断熱ホルダーのＨａｚｅを測定したところ、６％と良好な値であった。
【００２２】
この断熱ホルダーを用い、円錐台形状の容器に巻き付け、接続部を重ねて嵌め込み接続した。端辺の浮き上がりがなく外観も良好で、容器の外周壁の全周に渡って、手指が容器本体に触れない状態であった。これに温度が約６０℃のコーヒーを容器体積の８割まで注ぎ込んで手指で持ったところ、特に熱く感じる部分もなく、均一な断熱性能が得られた。
【図面の簡単な説明】
【００２３】
【図１】断熱ホルダーの例を示した（１）正面図、（２）斜視図である。
【図２】（１）破線３３の断面をＡ方向に見た断面図、（２）破線２２の断面をＢ方向に見た断面図、（３）（１）と（２）とを接続した状態の断面図である。
【図３】断熱ホルダーの他の例を示した図である。
【図４】断熱ホルダーのさらに他の例を示した図である。
【符号の説明】
【００２４】
１〜４  断熱ホルダー
１０、４０  本体部
２０、３０、５０、６０  接続部
１１  断熱用凸部
２１、５１〜５３、８０、１００  孔
２２、３３  断面位置を示す破線
２３、３３  端辺
３１、６１〜６３、７０〜７１、９０〜９１  接続用凸部
３２、６５〜６７、７２〜７３、９２〜９３  係止用凸部
【図１】
2007145342.tif 000003
【図２】
2007145342.tif 000004
【図３】
2007145342.tif 000005
【図４】
2007145342.tif 000006